(57)【要約】【課題】電子機器の画像表示部を保護できると共にテレビジョン放送を受信可能であって該電子機器に起因するノイズの影響を受けにくい電子機器用カバー装置を提供すること。【解決手段】携帯端末機器である電子機器１に装着されて画像表示部２を保護できると共に、テレビジョン放送の受信機能を備えたカバー装置４であって、電子機器１上にコネクタ接続された基部５に回動可能に軸支されたカバー体６と、カバー体６に内蔵されたテレビジョン受信チューナ７と、カバー体６に保持されたアンテナ素子１０と、チューナ７から導出されてアンテナ素子１０の給電点１０ａに接続された給電線路８とを備えている。アンテナ素子１０は、開姿勢のときにカバー体６の反電子機器１側の端部となる一端部６ａから外方へ突出可能であり、該一端部６ａまたはその近傍において給電線路８から給電点１０ａへ給電信号が供給されるようになっている。【選択図】図１
2008085480.tif 000002
【特許請求の範囲】
【請求項１】
画像表示部を有する電子機器に装着されて前記画像表示部を覆う閉姿勢と該画像表示部を露出させる開姿勢との間で回動可能なカバー体と、このカバー体に内蔵されたテレビジョン受信チューナと、このテレビジョン受信チューナを前記電子機器に接続するコネクタ手段と、前記カバー体に保持されたアンテナ素子と、前記テレビジョン受信チューナから導出されて前記アンテナ素子の給電点に接続された給電線路とを備え、
前記アンテナ素子が、前記カバー体の回動支点から最も離反した一端部に内蔵または該一端部から外方へ突出可能であり、該カバー体の一端部またはその近傍において前記給電線路から前記給電点へ給電信号が供給されるように構成したことを特徴とする電子機器用カバー装置。
【請求項２】
請求項１の記載において、前記電子機器がテレビジョン受像機として兼用可能な携帯端末機器であることを特徴とする電子機器用カバー装置。
【請求項３】
請求項１または２の記載において、前記カバー体が前記電子機器の上面に載置されて上下方向へ回動可能であって、このカバー体の前記開姿勢は前記電子機器上に起立した姿勢であることを特徴とする電子機器用カバー装置。
【請求項４】
請求項１〜３のいずれか１項の記載において、前記カバー体の前記一端部に折り畳み可能かつ外方へ突出可能に軸支されたロッド部材を備え、このロッド部材に前記アンテナ素子を内蔵させたことを特徴とする電子機器用カバー装置。
【請求項５】
請求項１〜３のいずれか１項の記載において、前記アンテナ素子がバイアス制御信号に応じて共振周波数が変化するチップアンテナであり、このチップアンテナを前記カバー体の前記一端部に内蔵させると共に、前記バイアス制御信号をテレビジョン受信チューナから前記チップアンテナへ供給するためのバイアス線路を前記給電線路と共に前記カバー体内に配設するという構成にしたことを特徴とする電子機器用カバー装置。
【発明の詳細な説明】
【技術分野】
【０００１】
本発明は、画像表示部を有する携帯端末機器等の電子機器に装着される電子機器用カバー装置に係り、特に、テレビジョン放送の受信機能を備えた電子機器用カバー装置に関する。
【背景技術】
【０００２】
近年、液晶ディスプレイ等の画像表示部を有する携帯端末機器において、テレビジョン放送用の受信装置を後付けできるようにしたものが実用化されている。すなわち、ゲーム機のように画像表示部の面積が比較的大きい携帯端末機器は、テレビジョン放送用の受信装置が電気的かつ機械的に接続できるようにしてあれば、必要時にテレビジョン受像機として支障なく利用できるため付加価値が大幅に高まる。特に、今後は地上波デジタル放送が確実に普及するため、各種の携帯端末機器がテレビジョン受像機として兼用されるようになるものと予想される。
【０００３】
ところで、このように画像表示部を有する携帯端末機器等の電子機器では、その画像表示部が汚れたり破損する虞があるため、カバー部材によって画像表示部を開閉できるような構成にしたものが知られている。この種のカバー部材は、電子機器本体にヒンジ結合等によって取り付けられており、画像表示部を覆う閉姿勢と該画像表示部を露出させる開姿勢との間で回動可能となっている。そして、この種のカバー部材にループアンテナ等のアンテナ素子を組み込み、電子機器本体に内蔵されているテレビジョン受信チューナから給電線路を介して該アンテナ素子の給電点に給電信号が供給される構成とすることにより、地上波デジタル放送を受信してその受信画像を画像表示部に表示するようにした携帯端末機器が従来提案されている（例えば、特許文献１参照）。
【特許文献１】特開２００６−９４３６２号公報（第４−６頁、図１）
【発明の開示】
【発明が解決しようとする課題】
【０００４】
しかしながら、テレビジョン放送受信用のアンテナ素子が組み込まれている従来のカバー部材は、電子機器本体と連結されている部分（ヒンジ結合部等）の近傍にアンテナ素子の給電点を配置させているため、該電子機器本体から輻射される電磁波や該電子機器本体を構成する金属部品の影響で、アンテナ素子の受信感度が劣化しやすいという問題があった。すなわち、電子機器本体に内蔵されているテレビジョン受信チューナに接続された給電線路を、カバー部材と電子機器本体との連結部分へ引き回してアンテナ素子の給電点に接続させているので、必然的に給電点は電子機器本体の近傍に位置することになって、該電子機器本体に起因するノイズの影響を受けやすくなる。
【０００５】
本発明は、このような従来技術の実情に鑑みてなされたもので、その目的は、電子機器の画像表示部を保護できると共にテレビジョン放送を受信可能であって該電子機器に起因するノイズの影響を受けにくい電子機器用カバー装置を提供することにある。
【課題を解決するための手段】
【０００６】
上記の目的を達成するために、本発明の電子機器用カバー装置では、画像表示部を有する電子機器に装着されて前記画像表示部を覆う閉姿勢と該画像表示部を露出させる開姿勢との間で回動可能なカバー体と、このカバー体に内蔵されたテレビジョン受信チューナと、このテレビジョン受信チューナを前記電子機器に接続するコネクタ手段と、前記カバー体に保持されたアンテナ素子と、前記テレビジョン受信チューナから導出されて前記アンテナ素子の給電点に接続された給電線路とを備え、前記アンテナ素子が、前記カバー体の回動支点から最も離反した一端部に内蔵または該一端部から外方へ突出可能であり、該カバー体の一端部またはその近傍において前記給電線路から前記給電点へ給電信号が供給されるように構成した。
【０００７】
このように構成された電子機器用カバー装置は、画像表示部を閉姿勢のカバー体で覆って保護することができる。また、このカバー体にはテレビジョン受信チューナが内蔵されていると共に、カバー体の回動支点から最も離反した一端部、つまり開姿勢のときにカバー体の反電子機器側の端部となる一端部にアンテナ素子が保持されており、該一端部またはその近傍において給電線路から給電点へ給電信号を供給することができるため、アンテナ素子とその給電点を電子機器から十分に離隔させることができる。したがって、カバー体を開姿勢（画像表示部を露出させた状態）にしてテレビジョン放送を受信する際に、電子機器から輻射される電磁波や該電子機器を構成する金属部品の影響をアンテナ素子が受けにくくなって、受信感度が良好となる。それゆえ、地上波デジタル放送用として好適な受信機能が得やすくなって、電子機器がテレビジョン受像機として兼用可能な携帯端末機器である場合には特に有効である。
【０００８】
上記の構成において、開姿勢のカバー体が電子機器の右側や左側に位置するようにしてもよいが、カバー体が電子機器の上面に載置されて上下方向に回動可能であって、このカバー体の開姿勢が電子機器上に起立した姿勢であれば、カバー体の開閉動作が容易であるのみならず、画像表示部を露出させた状態でユーザが電子機器を手で保持しやすく、該電子機器を据え置く場合にも設置スペースが少なくて済むため好ましい。
【０００９】
また、上記の構成において、例えば、カバー体の前記一端部に折り畳み可能かつ外方へ突出可能に軸支されたロッド部材を備え、このロッド部材にアンテナ素子が内蔵させてあると、テレビジョン放送の受信時にはアンテナ素子をノイズ源である電子機器から大きく離隔させて良好な受信感度が確保でき、かつ、非使用時にはアンテナ素子をカバー体の一端部に折り畳んでコンパクトに収納することができる。
【００１０】
あるいは、アンテナ素子がバイアス制御信号に応じて共振周波数が変化するチップアンテナであり、このチップアンテナをカバー体の前記一端部に内蔵させると共に、前記バイアス制御信号をテレビジョン受信チューナから前記チップアンテナへ供給するためのバイアス線路を給電線路と共にカバー体内に配設するという構成にしてあると、前記ロッド部材が不要となるためカバー装置を突起物のないシンプルな外観に設計できる。
【発明の効果】
【００１１】
本発明の電子機器用カバー装置は、閉姿勢のときに画像表示部を覆って保護することができるカバー体にテレビジョン受信チューナが内蔵されていると共に、回動支点から最も離反して開姿勢のときに反電子機器側の端部となるカバー体の一端部にアンテナ素子が保持されており、該一端部において給電線路から給電点へ給電信号を供給することができるため、アンテナ素子とその給電点を電子機器から十分に離隔させることができる。したがって、カバー体を開姿勢（画像表示部を露出させた状態）にしてテレビジョン放送を受信する際に、電子機器から輻射される電磁波や該電子機器を構成する金属部品の影響をアンテナ素子が受けにくくなって、良好な受信感度が得やすくなる。それゆえ、地上波デジタル放送用として好適な受信機能が得やすくなって、特に電子機器がテレビジョン受像機として兼用可能な携帯端末機器である場合に顕著な実用的効果を期待できる。
【発明を実施するための最良の形態】
【００１２】
発明の実施の形態を図面を参照して説明すると、図１は本発明の第１実施形態例に係るカバー装置が装着された電子機器のテレビジョン放送受信時の状態を示す正面図、図２は図１に対応する側面図、図３は該電子機器の非使用時の状態を示す正面図、図４は図３に対応する側面図、図５は図３に示すカバー体を開いた状態を示す正面図、図６は図５に対応する側面図である。
【００１３】
これらの図に示す電子機器１は、画像表示部２や複数の操作キー３等を有するテレビジョン受像機として兼用可能な携帯端末機器である。この電子機器１の上面にはカバー装置４が載置されていると共に、該上面に付設された図示せぬＵＳＢ端子にカバー装置４のコネクタ５ａが接続されており、軸４ａを中心にカバー装置４が電子機器１に対して図２の矢印Ａ方向へ回動できるようになっている。このカバー装置４は、コネクタ５ａを有する基部５に軸４ａを介して回動可能に軸支された合成樹脂製のカバー体６と、カバー体６に内蔵された地上波デジタル放送用のテレビジョン受信チューナ７および給電線路８と、カバー体６の軸４ａと反対側の一端部６ａに折り畳み可能かつ上方へ突出可能（図１の矢印Ａ方向に移動可能）に軸支されたロッド部材９と、ロッド部材９に内蔵されたアンテナ素子１０とを備えている。また、アンテナ素子１０は、モノポールアンテナ１１の先端部にヘリカルアンテナ１２を連結した構造になっている。このアンテナ素子１０の給電点１０ａはカバー体６の一端部６ａの近傍に設定されており、テレビジョン受信チューナ７から導出された給電線路８が給電点１０ａに接続されている。
【００１４】
カバー体６は、電子機器１の画像表示部２を覆う閉姿勢（図３，４参照）と、画像表示部２を露出させる開姿勢（図１，２および図５，６参照）との間で回動可能であり、開姿勢のカバー体６は電子機器１上に起立している。このカバー体６に内蔵されているテレビジョン受信チューナ７は、コネクタ５ａを介して電子機器１と電気的に接続されている。
【００１５】
かかる構成のカバー装置４は、電子機器１が使用されないときにはカバー体６を図３，４に示す閉姿勢にすることで、画像表示部２を覆って汚れや破損から保護することができる。また、電子機器１を使用する際にはカバー体６を上方へ回転させて図５，６に示す開姿勢とすることで、画像表示部２を露出させることができる。電子機器１がゲーム機である場合、この状態でユーザは電子機器１を手で保持して操作キー３を操作しながらゲームプレイを行うことができる。また、地上波デジタル放送を受信する際には、図１，２に示すように、開姿勢のカバー体６の上端部（一端部６ａ）からロッド部材９を斜め上方へ突出させて、テレビジョン受信チューナ７から給電線路８を介してアンテナ素子１０の給電点１０ａへ給電信号が供給されるようにする。これにより、アンテナ素子１０で受信された地上波デジタル放送の信号がテレビジョン受信チューナ７へ送られるため、受信画像を電子機器１の画像表示部２に表示させることができる。
【００１６】
このように本実施形態例にあっては、電子機器１に装着されたカバー装置４のカバー体６にテレビジョン受信チューナ７が内蔵されていると共に、開姿勢のときにカバー体６の反電子機器１側の端部（上端部）となる一端部６ａにロッド部材９を介してアンテナ素子１０が保持されている。そして、このロッド部材９がカバー体６の一端部６ａに折り畳み可能かつ上方へ突出可能に軸支されていると共に、該一端部６ａの近傍において給電線路８から給電点１０ａへ給電信号が供給されるようになっているため、アンテナ素子１０とその給電点１０ａを電子機器１から十分に離隔させることができる。したがって、カバー体６を開姿勢（画像表示部２を露出させた状態）にして地上波デジタル放送を受信する際に、電子機器１から輻射される電磁波や該電子機器１を構成する金属部品の影響をアンテナ素子１０が受けにくくなって、良好な受信感度が期待できる。また、地上波デジタル放送を受信しないときには、アンテナ素子１０を内蔵したロッド部材９をカバー体６の一端部６ａに折り畳んでコンパクトに収納することができる。
【００１７】
さらに、本実施形態例にあっては、カバー体６が上下方向に回動可能であって、このカバー体６の開姿勢が電子機器１上に起立した姿勢なので、カバー体６の開閉動作が容易であるのみならず、画像表示部２を露出させた状態でユーザが電子機器１を手で保持しやすく、電子機器１を据え置く場合にも設置スペースが少なくて済む。ただし、電子機器１が縦長形状の場合には、開姿勢のカバー体６が電子機器１の右側や左側に位置するような構成であってもよい。
【００１８】
なお、上記の第１実施形態例では、アンテナ素子１０を内蔵したロッド部材９がカバー体６の一端部６ａに折り畳み可能かつ上方へ突出可能に軸支されているが、同様のロッド部材９をカバー体６内へ挿入可能かつ該一端部６ａから上方へ突出可能としてもよい。
【００１９】
図７は本発明の第２実施形態例に係るカバー装置が装着された電子機器の使用時の状態を示す正面図、図８は図７に対応する側面図であって、図１，２と同等と見なせる部分は同一符号を付すことによって重複する説明は省略する。
【００２０】
この第２実施形態例は、アンテナ素子１０がカバー体６に内蔵されたチップアンテナであり、このアンテナ素子１０の共振周波数がバイアス制御信号（直流の同調電圧）に応じて制御可能であるという点が前述した第１実施形態例と大きく異なっている。すなわち、アンテナ素子１０は、誘電体または磁性体からなる柱状の基体１３の表面に螺旋状の放射導体１４を設け、この放射導体１４の適宜分断箇所に図示せぬ可変容量素子（バラクタダイオード）を直列に接続して構成されるというチューナブルなチップアンテナである。このアンテナ素子１０は、開姿勢のときにカバー体６の反電子機器１側の端部（上端部）となる一端部６ａに内蔵されて、その給電点１０ａが給電線路８に接続されている。そして、バイアス制御信号をテレビジョン受信チューナ７からアンテナ素子１０へ供給するためのバイアス線路１５が給電線路８と共にカバー体６内に配設されている。
【００２１】
この第２実施形態例にあっては、アンテナ素子１０がチューナブルな小型のチップアンテナでカバー体６に内蔵でき、前述した第１実施形態例で用いられていたロッド部材が不要となるため、カバー装置４を突起物のないシンプルな外観に設計できる。しかも、このアンテナ素子１０は、開姿勢のときにカバー体６の反電子機器１側の端部（上端部）となる一端部６ａに内蔵されており、該一端部６ａにおいて給電線路８から給電点１０ａへ給電信号が供給されるようにしてあるため、アンテナ素子１０とその給電点１０ａを電子機器１から十分に離隔させることができる。それゆえ、前述した第１実施形態例と同様に、地上波デジタル放送を良好な感度で受信することができる。
【００２２】
なお、上記の各実施形態例では、テレビジョン放送を受信する際にカバー体６を電子機器１上に起立させているが、カバー体６が電子機器１の背面側まで折り返せるようになっていれば、画像表示部２を斜め上方へ向けた電子機器１を背面側からカバー体６で支えて机上等に据え置くことができるため、使い勝手がさらに向上する。
【図面の簡単な説明】
【００２３】
【図１】本発明の第１実施形態例に係るカバー装置が装着された電子機器のテレビジョン放送受信時の状態を示す正面図である。
【図２】図１に対応する側面図である。
【図３】該電子機器の非使用時の状態を示す正面図である。
【図４】図３に対応する側面図である。
【図５】図３に示すカバー体を開いた状態を示す正面図である。
【図６】図５に対応する側面図である。
【図７】本発明の第２実施形態例に係るカバー装置が装着された電子機器の使用時の状態を示す正面図である。
【図８】図７に対応する側面図である。
【符号の説明】
【００２４】
１  電子機器
２  画像表示部
４  カバー装置
５  コネクタ
６  カバー体
６ａ  一端部
７  テレビジョン受信チューナ
８  給電線路
９  ロッド部材
１０  アンテナ素子
１０ａ  給電点
１１  モノポールアンテナ
１２  ヘリカルアンテナ
１３  基体
１４  放射導体
１５  バイアス線路
【図１】
2008085480.tif 000003
【図２】
2008085480.tif 000004
【図３】
2008085480.tif 000005
【図４】
2008085480.tif 000006
【図５】
2008085480.tif 000007
【図６】
2008085480.tif 000008
【図７】
2008085480.tif 000009
【図８】
2008085480.tif 000010